(57)【要約】      （修正有）【課題】羽根車側のシュラウドと仕切板側のファンガイド口形成用筒状部との間の隙間が大きくても、隙間からの翼外周端吸気側への漏れ流れの回り込みを有効に防止して、送風性能を向上させ、漏れ流れの翼との干渉による騒音を低減する。【解決手段】仕切板１０を介して設けられたファンガイド口１１と、外周にシュラウド７を一体化した羽根６をファンガイド口１１内に回転可能に遊嵌させた羽根車とを備えたシュラウド付プロペラファンにおいて、ファンガイド口１１は仕切板１０の仕切面１０ａから空気吹出口方向に延びる筒状部１０ｂ内に形成されている一方、シュラウド７は筒状部１０ｂ内のファンガイド口１１に沿って対向する状態で後方に延び、かつその空気吸込側前縁部７ａがファンガイド口１１の前側で半径方向外方に曲成されて仕切板１０の仕切面１０ａに並設されているとともに、空気吹出側後縁部７ｃが半径方向外方に滑らかに拡大されるようにした。【選択図】図３
2008057480.tif 000002
【特許請求の範囲】
【請求項１】
本体ケーシング（１ａ）と、該本体ケーシング（１ａ）の一端に設けられた空気吸込口（４ａ）と、上記本体ケーシング（１ａ）の他端に設けられた空気吹出口（４ｂ）と、上記本体ケーシング（１ａ）内の上記空気吸込口（４ａ）と上記空気吹出口（４ｂ）との間に位置して仕切板（１０）を介して設けられたファンガイド口（１１）と、上記本体ケーシング（１ａ）内の上記仕切板（１０）よりも上記空気吸込口（４ａ）側に位置して設けられた熱交換器（２）と、上記本体ケーシング（１ａ）内の上記熱交換器（２）と上記空気吹出口（４ｂ）との間に位置し、外周にシュラウド（７）を一体化した羽根（６），（６）・・・を上記ファンガイド口（１１）内に回転可能に遊嵌させた羽根車とを備えてなるシュラウド付プロペラファンであって、上記ファンガイド口（１１）は上記仕切板（１０）の仕切面（１０ａ）から上記空気吹出口（４ｂ）方向に延びた筒状部（１０ｂ）内に形成されている一方、上記シュラウド（７）は上記筒状部（１０ｂ）内のファンガイド口（１１）に沿って対向する状態で後方に延び、かつその空気吸込側前縁部（７ａ）が上記ファンガイド口（１１）の前側で半径方向外方に曲成されて上記仕切板（１０）の仕切面（１０ａ）に並設されているとともに、空気吹出側後縁部（７ｃ）が半径方向外方に滑らかに拡大されていることを特徴とするシュラウド付プロペラファン。
【請求項２】
シュラウド（７）の空気吹出側後縁部（７ｃ）は、羽根車の羽根（６），（６）・・・の後縁部（６ｂ），（６ｂ）・・・の外周付近に位置していることを特徴とする請求項１記載のシュラウド付プロペラファン。
【請求項３】
ファンガイド口（１１）を形成している筒状部（１０ｂ）の内周面とシュラウド（７）の外周面との間のクリアランスＧは、羽根車の外径をＤ2とした時に、Ｇ＝（０．０１５〜０．０３）Ｄ2としたことを特徴とする請求項１又は２記載のシュラウド付プロペラファン。
【請求項４】
ファンガイド口（１１）を形成している筒状部（１０ｂ）の後縁部（１０ｃ）は、シュラウド（７）の後縁部（７ｃ）の外周付近に位置して半径方向外方に拡大されていることを特徴とする請求項１，２又は３記載のシュラウド付プロペラファン。
【発明の詳細な説明】
【技術分野】
【０００１】
本願発明は、羽根車の羽根外周にシュラウドを備えたプロペラファンの構造に関するものである。
【背景技術】
【０００２】
プロペラファンの場合、羽根車の羽根外周は、一般に羽根車の羽根とは別体の筒状のマウスリングと適宜隙間を持って構成されていた。
【０００３】
そのようなプロペラファンの場合、羽根の形状や回転数ばかりでなく、マウスリングとの隙間によって送風能力が大きく左右される。隙間を小さくすることによって送風方向からの空気の侵入を少なくすることが可能であるが、そのようにすると、羽根車およびマウスリングの真円度や取付け精度のバラツキによっては羽根の外周とマウスリングが接触し、機器、装置としての致命的な欠陥となる。
【０００４】
そのため、従来は送風能力を犠牲にし、隙間寸法を大きくし、ある程度の余裕を持って取り付けるようにしていた。
【０００５】
また、同真円度や取付け精度のばらつきにより、上記羽根の外周とマウスリングの内周との間の隙間寸法が一定でないことは、送風能力を低下させる原因ともなっていた。
【０００６】
このような事情から、羽根車の羽根の外周とマウスリングの内周との隙間寸法を極力少なくし、かつ寸法のばらつきを解消するために、羽根車の外周にシュラウドを一体化し、その送風性能を向上させるようにしたものが幾つか提案されている（例えば特許文献１〜４参照）。
【０００７】
【特許文献１】実開昭６３−１０２９６号公報（明細書第１頁、図１−図３）
【特許文献２】特開平９−３１８１００号公報（明細書第１−２頁、図１−図５）
【特許文献３】特許第３０９２３７１号公報（明細書第１−７頁、図１−図７）
【特許文献４】特開２００１−２４８５９０号公報（明細書第１−４頁、図１−図３）
【発明の開示】
【発明が解決しようとする課題】
【０００８】
（１）  特許文献１の場合
この発明は、複数の翼を有するファンとファンの翼後端部よりも風下の外周に設けられた環状のファンガイド（仕切板）とを有する送風装置において、ファンガイドの吸入側の少なくとも一部を覆う環状部材（シュラウド）をファンの翼後端縁外周部に固定したことを特徴としている。
【０００９】
しかし、このような構成の場合、環状部材の入口端は仕切板に対して斜め方向で翼後縁に近接しているので、ファンガイド（仕切板）と環状部材（シュラウド）との隙間からの漏れ流れが吸込側へ回り込みやすく、同回り込んだ漏れ流れが翼端および翼後縁と干渉して、騒音を生じさせやすい問題がある。
【００１０】
（２）  特許文献２の場合
この発明は、空気調和機の室外機において、外気により熱交換を行うプロペラファンの翼後端縁側外周部に内凸形状のマウスリング（シュラウド）を設け、その後縁側を仕切板（グリル）側のファンガイド（小形マウス）に対応させたことを特徴としている。
【００１１】
したがって、これも上記（１）の発明の場合と同様に、マウスリングと仕切板との間からの漏れ流れが吸込側に回り込みやすく、同回り込んだ漏れ流れが翼端および翼後縁と干渉して、騒音を生じさせやすい問題がある。
【００１２】
（３）  特許文献３の場合
この発明は、仕切板側ファンガイド部の空気吸込み側から空気吹出し側にかけて断面半円形状のベルマウスを形成する一方、ファンの羽根部後縁側外周端に、アール面を有する吸込側縁部および吹出側縁部からなるシュラウドを設け、該シュラウドの上記アール面形状の吸込側縁部を上記断面半円形状のベルマウス内に嵌合することにより、上記ベルマウスとシュラウドとの間に環状の空気循環室を形成したことを特徴としている。
【００１３】
これは、上記（２）の発明と略同様の内凸形状のシュラウド構造において、特にファンガイド側のマウスリングをも半円形状のものとすることによって、よりスムーズな循環流を形成したものであるが、やはり漏れ流れが吸込側に回り込むのが避けられず、しかも同漏れ流れの流速が大きい分、翼外周端および後縁との干渉が顕著になる問題がある。
【００１４】
（４）  特許文献４の場合
この発明は、シュラウドとファンガイドとの間に、所謂ラビリンスシール構造を実現して、漏れ流れを抑制しているが、やはり吸込側への回り込みが生じ、翼外周端および後縁等と干渉しやすい問題がある。
【００１５】
本願発明は、これらの事情に基いてなされたもので、シュラウドとファンガイド口を形成する仕切板との間の隙間が大きくても同隙間からの翼外周端吸気側への漏れ流れの回り込みを有効に防止して、送風性能を向上させることができるとともに、同漏れ流れの翼との干渉による騒音を効果的に低減したシュラウド付プロペラファンを提供することを目的とするものである。
【課題を解決するための手段】
【００１６】
本願発明は、上記の目的を達成するために、次のような課題解決手段を備えて構成されている。
【００１７】
（１）  第１の課題解決手段
この発明の第１の課題解決手段は、本体ケーシング１ａと、該本体ケーシング１ａの一端に設けられた空気吸込口４ａと、上記本体ケーシング１ａの他端に設けられた空気吹出口４ｂと、上記本体ケーシング１ａ内の上記空気吸込口４ａと上記空気吹出口４ｂとの間に位置して仕切板１０を介して設けられたファンガイド口１１と、上記本体ケーシング１ａ内の上記仕切板１０よりも上記空気吸込口４ａ側に位置して設けられた熱交換器２と、上記本体ケーシング１ａ内の上記熱交換器２と上記空気吹出口４ｂとの間に位置し、外周にシュラウド７を一体化した羽根６，６・・・を上記ファンガイド口１１内に回転可能に遊嵌させた羽根車とを備えてなるシュラウド付プロペラファンであって、上記ファンガイド口１１は上記仕切板１０の仕切面１０ａから上記空気吹出口４ｂ方向に延びた筒状部１０ｂ内に形成されている一方、上記シュラウド７は上記筒状部１０ｂ内のファンガイド口１１に沿って対向する状態で後方に延び、かつその空気吸込側前縁部７ａが上記ファンガイド口１１の前側で半径方向外方に曲成されて上記仕切板１０の仕切面１０ａに並設されているとともに、空気吹出側後縁部７ｃが半径方向外方に滑らかに拡大されていることを特徴としている。
【００１８】
同構成では、シュラウド７の外周に、筒状のファンガイド口１１を形成している仕切板１０の筒状部１０ｂが嵌合されていて、該筒状部１０ｂ内のファンガイド口１１に沿って対向する状態で後方に延びるシュラウド７との間の隙間は、羽根車の軸方向に所定の長さを有した距離の長いものとなっている。
【００１９】
したがって、このような構成によると、仕切板１０側の筒状部１０ｂの内周面とシュラウド７の外周面との間の流路抵抗が大きくなり、上記羽根部６，６・・・の後縁部６ｂ，６ｂ・・・の外周端から吹き出される流れは、シュラウド７の前縁部７ａ側には回り込みにくくなり、洩れ流れｆ3が抑制される。
【００２０】
また、同構成では、上記シュラウド７は、その空気吸込側前縁部７ａが上記ファンガイド口１１の前側で半径方向外方に曲成されて上記仕切板１０の平板面１０ａに並設されているとともに、空気吹出側後縁部７ｃが半径方向外方に滑らかに拡大されている。
【００２１】
したがって、このような構成によると、フローパタンとして空気の吹き出し流が半径方向外方に広がる形態となるファン効率が高い中風量域において、シュラウド７の後縁部７ｃの形状とファンガイド口１１を形成している仕切板１０の筒状部１０ｂの後縁部１０ｃの形状が適切なものとなり、同外方に向かう流れを効果的に誘起し（壁面に沿うスムーズな流れとし）、ファンガイド口１１形成用の筒状部１０ｂの内周面とシュラウド７の外周面との間の隙間が大きなクリアランスであっても、有効に洩れ流れを低減できるようになる。
【００２２】
その結果、ファン風量、静圧特性の向上、比騒音レベルの低減、ファン効率の向上を図ることができる。
【００２３】
（２）  第２の課題解決手段
この発明の第２の課題解決手段は、上記第１の課題解決手段の構成において、シュラウド７の空気吹出側後縁部７ｃは、羽根車の羽根６，６・・・の後縁部６ｂ，６ｂ・・・の外周付近に位置していることを特徴としている。
【００２４】
このように洩れ流れを低減するに際し、シュラウド７の後縁部７ｃが、羽根車の羽根６，６・・・の後縁部６ｂ，６ｂ・・・の外周付近に位置していると、フローパタンとして空気の吹き出し流が半径方向外方に広がる形態となるファン効率が高い中風量域において、シュラウド７の後縁部７ｃの形状とファンガイド口１１を形成している仕切板１０の筒状部１０ｂの後縁部１０ｃの形状が、より適切なものとなり、同外方に向かう流れを効果的に誘起（壁面に沿うスムーズな流れに）することができる。
【００２５】
（３）  第３の課題解決手段
この発明の第３の課題解決手段は、上記第１又は第２の課題解決手段の構成において、ファンガイド口１１を形成している筒状部１０ｂの内周面とシュラウド７の外周面との間のクリアランスＧは、羽根車の外径をＤ2とした時に、Ｇ＝（０．０１５〜０．０３）Ｄ2としたことを特徴としている。
【００２６】
実際の測定結果によると、上記仕切板１０の筒状部１０ｂの内周面と上記シュラウド７の外周面との間のクリアランスＧは、羽根車の外径をＤ2とした時に、Ｇ＝（０．０１５〜０．０３）Ｄ2とした場合が、最も送風性能の向上、騒音の低減に有効であった。
【００２７】
（４）  第４の課題解決手段
この発明の第４の課題解決手段は、上記第１，第２又は第３の課題解決手段の構成において、ファンガイド口１１を形成している筒状部１０ｂの後縁部１０ｃは、シュラウド７の後縁部７ｃの外周付近に位置して半径方向外方に拡大されていることを特徴としている。
【００２８】
このような構成にすると、さらに羽根車吹出域において、効果的にディフューザ作用を実現することができ、特に羽根車の各羽根６，６・・・の後縁部６ｂ，６ｂ・・・の外周端から吹き出される空気流における動圧の静圧の回復が可能となり、より送風性能を向上させることが可能となる。
【発明の効果】
【００２９】
以上の結果、本願発明によると、プロペラファンの送風性能をアップさせながら、ファンの騒音レベルをも可及的に低減することが可能となる。
【発明を実施するための最良の形態】
【００３０】
（最良の実施の形態１）
先ず図１〜図３は、本願発明のシュラウド付プロペラファンを送風ファンに採用して構成した本願発明の最良の実施の形態１に係る空気調和機用室外機の全体および要部の構成を示している。また、図８は、同室外機の送風ファンの騒音低減効果を示している。
【００３１】
先ず本実施の形態の空気調和機の室外機１は、例えば図１および図２に示されるように、箱形の本体ケーシング１ａの背面側空気吸込口４ａ部分に熱交換器２、内側中央部にプロペラファンＦを備えている一方、上記本体ケーシング１ａの前面側空気吹出口４ｂ部分にはファンガードとして送風グリルが設けられている。そして、プロペラファンＦが回転すると、背面側空気吸込口４ａから吸込まれて熱交換器２を通過した空気が、当該プロペラファンＦの回転方向に旋回する旋回気流となって上記送風グリルを備えた空気吹出口４ｂを介して室外機１の前方へ吹き出される。
【００３２】
プロペラファンＦは、円筒型のハブ５、該ハブ５の周りに所定の間隔で放射方向に延びて設けられた略扇形の複数枚の羽根６，６・・・、該羽根６，６・・・の外周に固定して設けられた筒状のシュラウド７よりなる羽根車（外径Ｄ2）と該羽根車を回転駆動軸８を介して回転駆動するファンモータ９とからなり、上記本体ケーシング１ａの空気吸込口４ａ側通風路と空気吹出口（送風グリル）４ｂ側通風路とを仕切る仕切板１０の前後方向の筒状部１０ｂ内に形成された筒状のファンガイド口１１（口径Ｄ1）内に、上記羽根車のシュラウド７を含む羽根６，６・・・部分を、所定の隙間（クリアランス寸法Ｇ）を保って回転可能に遊嵌する形で支持されている。
【００３３】
本実施の形態の場合、上記シュラウド７は、その筒状の本体部７ｂの空気吸込側前縁部７ａが上記仕切板１０の仕切面（開口縁部）１０ａの前側で半径方向外方に所定幅フランジ状に起立して略直角に曲成され、かつ同前縁部７ｂの下部側アール面状の曲成部基部（吸込境界部分）が、例えば羽根車の羽根６，６・・・外周端部の翼弦幅の１／４〜３／４程度前縁６ａ側に寄った位置に位置するように、上記筒状の本体部７ｂ部分が上記羽根６，６・・・の外周端部面に固定して設けられており、上記フランジ状の前縁部７ａは、その背面側が上記仕切板１０の筒状のファンガイド口１１を形成している筒状部１０ｂの空気吸込側の開口縁部（ファンガイド口１１入口周りの平板面部）に対して所定の隙間を保って対向するように配設されている。
【００３４】
上記シュラウド７の前縁部７ａがフランジ状に起立する羽根６，６・・・の上記翼弦位置（１／４〜３／４）は、羽根６，６・・・の外周端部（その前縁側〜後縁側）において空気の吸込力がもっとも大きい領域である。したがって、同部分にシュラウド７の吸込流ガイド作用を果たす半径方向にフランジ状に起立曲成した前縁部７ａがあると、羽根車外周部において有効な吸気作用が生じ、可及的に送風性能が向上する。
【００３５】
また、その結果、羽根６，６・・・の外周端および後縁部６ｂ，６ｂ・・・との干渉も生じにくくなり、有効に騒音が低減される。
【００３６】
一方、上記仕切板１０のファンガイド口１１の開口縁部に所定の隙間を置いて対接する上記シュラウド７のフランジ状の前縁部７ａの半径方向の起立幅（重なり幅）は、例えば上記羽根車の直径Ｄ2の０．０５倍から０．１５倍程度の大きさであることが好ましい。
【００３７】
この幅が大きすぎると、摩擦摺動音が増加し、小さすぎると漏れ流れは前縁部７ａ側へ回り込みやすくなり、干渉音が大きくなる。
【００３８】
なお、図３中の矢印ｆ1は、羽根車前方からの主たる吸込気流の流れを示している。
【００３９】
一方、本実施の形態の場合、上記シュラウド７の後縁部（筒状の本体部７ｂの後端）７ｃは、上記羽根車の羽根６，６・・・の後縁部６ｂ，６ｂ・・・と略同じ端面位置に位置するように設けられているが、同後縁部７ｃは半径方向内側から外側に次第に開口径を大きくする滑らかなアール面に形成されている。したがって、このような構成の場合、図３に示すように、上記羽根車の羽根６，６・・・の後縁部６ｂ，６ｂ・・・外周端部付近からの吹き出し流れｆ2に対して好適なコアンダ効果が生じるようになり、同羽根６，６・・・の後縁部６ｂ，６ｂ・・・の外周端部付近から上記シュラウド７の前縁部７ａ側に回り込もうとする空気の流れが、同後縁部７ｃのアール面によってスムーズに下流方向外方にガイドされ、従来のような羽根６，６・・・の後縁部６ｂ，６ｂ・・・部分での干渉を起さなくなる。
【００４０】
その結果、効果的に騒音が低減される。
【００４１】
しかも、本実施の形態の場合、上記シュラウド７の筒状の本体部７ｂの外周には、筒状のファンガイド口１１を形成している仕切板１０の前後方向に長い筒状部１０ｂが嵌合されていて、該仕切板１０の筒状部１０ｂとシュラウド７の筒状の本体部７ｂとの間の隙間は、羽根車の軸方向に所定の長さを有した距離の長いものとなっている。
【００４２】
したがって、仕切板１０側筒状部１０ｂの内周面とシュラウド７の筒状の本体部７ｂ外周面との間の流路抵抗は大きくなって、上記羽根６，６・・・の後縁部６ｂ，６ｂ・・・からの外周端へ吹き出される流れｆ2は、より確実にシュラウド７の前縁部７ａ側に回り込みにくくなり、より効果的に洩れ流れｆ3が抑制される。
【００４３】
また、同構成では、上記シュラウド７は、その空気吸込側前縁部７ａが上記ファンガイド口１１の前側で半径方向外方に曲成されて上記仕切板１０の平板面１０ａに並設されているとともに、さらに空気吹出側後縁部７ｃが半径方向外方に滑らかに拡大されている。
【００４４】
そして、上記シュラウド７の空気吹出側後縁部７ｃは、上記羽根車の羽根６，６・・・の後縁部６ｂ，６ｂ・・・の外周付近に位置している。
【００４５】
したがって、このような構成によると、フローパタンとして空気の吹き出し流が半径方向外方に広がる形態となるファン効率が高い中風量域において、シュラウド７の後縁部７ｃの形状とファンガイド口１１を形成している仕切板１０の筒状部１０ｂの後縁部１０ｃの形状が適切なものとなり、同外方に向かう流れを効果的に誘起し（壁面に沿うスムーズな流れとし）、ファンガイド口１１形成用の筒状部１０ｂの内周面とシュラウド７の外周面との間の隙間が大きなクリアランスであっても、より有効に洩れ流れを低減できるようになる。
【００４６】
その結果、ファン風量、静圧特性の向上、比騒音レベルの低減、ファン効率の向上を図ることができる。
【００４７】
以上の場合、上記仕切板１０の筒状のファンガイド口１１形成用の筒状部１０ｂの長さは、例えば図３のように、シュラウド７の筒状部本体７ｂの後縁部７ｃと同じか、それよりも少し長い程度が好ましい。筒状部１０ｂの長さが短かすぎ、またシュラウド７の後縁部７ｃに上述のような半径方向外方へのアール面がない場合には例えば図４のように、羽根車外周端側の吹き出し流れｆ2がシュラウド後縁部の内側で剥離し、外部空間から洩れ流れが入り込みやすくなる。
【００４８】
他方、シュラウド７の後縁部７ｃにアール面を形成したとしても、仕切板１０側の筒状部１０ｂの後縁部１０ｃの長さが、例えば図５のように余りに長すぎると、羽根車外周端からの半径方向外方に広がる吹き出し流れｆ2自体が長い後縁部１０ｃによって阻害されてしまい、ファン性能が劣化する。また、羽根車外周端側の流れｆ2が同長い後縁部１０ｃに衝突して却って逆流を生じ、洩れ流れｆ3が生じやすくなる。
【００４９】
したがって、上記仕切板１０の筒状部１０ｂの長さは、シュラウド７の後縁部７ｃよりも長いとしても、例えば図３に示すものよりも少し長い程度までであり、同程度なら略図３のものと同様の作用を得ることができる。
【００５０】
以上のように、本実施の形態によると、仕切板１０のファンガイド口１１形成用の筒状部１０ｂの内周面とシュラウド７の筒状の本体部７ｂ外周面との間の隙間が、大きなクリアランスであっても有効に洩れ流れを低減できるようになる。
【００５１】
その結果、プロペラファンの送風性能をアップさせながら、ファンの騒音レベルをも可及的に低減することが可能となる。またファンの組み立てを容易化し、信頼性を向上（据付、結氷）させることもできる。
【００５２】
そして、以上の構成では、その場合において、上記仕切板１０の筒状部１０ｂの内周面と上記シュラウド７の筒状の本体部７ｂの外周面との間のクリアランスＧは、上記羽根車の外径をＤ2とした時に、Ｇ＝（０．０１５〜０．０３）Ｄ2としている。
【００５３】
実際の測定結果によると、例えば図８のグラフに示すように、同クリアランスＧを、Ｇ＝（０．０１５〜０．０３）Ｄ2とした場合が、例えばフローパタンとして空気の吹出流が外方に広がる形態となるファン効率が高い中風量域において、特に有効であることが判明した。
【００５４】
なお、図８の比騒音レベルの対比に際しては、従来例として、例えば図１０に示すように、プロペラファンＦの羽根車部分を、上記同様に仕切板１０の仕切面１０ａよりも少し前方に寄せるとともに、シュラウド７の前縁部７ａを仕切板１０の仕切面１０ａと平行となるように直角方向に曲成することにより、同前縁部７ａを仕切板１０の仕切面１０ａの前側でファンガイド口１１の開口縁部に対接させるとともに、同対接部における仕切板１０およびシュラウド７両部材間の隙間１１を小さくするために、上記仕切板１０のフラットのファンガイド口１１の開口縁部前面側に凸部１０ｄを設けることによって、シール効果を向上させるようにしたもの（筒状ではなくフラットにファンガイド口１１を形成している仕切板１０の開口部内周面とシュラウド７の筒状部７ｂ外周面との間のクリアランスＧがＧ＝１．５ｍｍでプロペラファンＦの羽根車の外径Ｄ2がＤ2＝１６０ｍｍの場合）を採用して測定した。
【００５５】
この結果、図８のデータから明らかなように、同図１０の構成のように、仕切板１０の仕切面１０ａ上に単に平面的に開口するファンガイド口１１の開口縁部に凸部１０ｄを設けて、ファンガイド口１１のシュラウド７との間の隙間を小さくしただけでは、決して比騒音の低減に有効ではなく、上述の本願発明の実施の形態のように構成して初めて効果があることが分る。
【００５６】
（最良の実施の形態２）
次に図６は、本願発明のシュラウド付プロペラファンを送風ファンに採用して構成した本願発明の最良の実施の形態２に係る空気調和機用室外機のファン部分の構成を示している。
【００５７】
この実施の形態では、上記最良の実施の形態１の構成の仕切板１０のファンガイド口１１形成用の筒状部１０ｂの後縁部１０ｃの口径を、シュラウド７の後縁部７ｃと同様に半径方向外方に滑らかに拡大させたアール面としたことを特徴とするものである。その他の部分の構成は、上記最良の実施の形態１のものと全く同一であり、同様の作用を果たす。
【００５８】
このような構成によると、上記羽根部６，６・・・の後縁部６ｂ，６ｂ・・・の外周端付近からの吹き出し流れｆ2に対する上述したコアンダ効果が一層有効になり、筒状のファンガイド口１１形成用の筒状部１０ｂの内周面とシュラウド７の筒状の本体部７ｂ外周面との間の流路抵抗が大きくなり、洩れ流れｆ3が抑制される。
【００５９】
そして、フローパタンとして空気の吹出流が外方に広がる形態となるファン効率が高い中風量域において、シュラウド７の後縁部７ｃの形状と仕切板１０のファンガイド口１１形成用の筒状部１０ｂの後縁部１０ｃの形状が一層適切なものとなり、同外方に向かう流れを効果的に誘起し（壁面に沿うスムーズな流れとし）、ファンガイド口１１形成用の筒状部１０ｂの内周面とシュラウド７の筒状の本体部７ｂ外周面との間の隙間が大きなクリアランスであっても一層有効に洩れ流れを低減できるようになる。
【００６０】
その結果、プロペラファンの送風性能をアップさせながら、ファンの騒音レベルをも可及的に低減することが可能となる。
【００６１】
（最良の実施の形態３）
次に図７は、本願発明のシュラウド付プロペラファンを送風ファンに採用して構成した本願発明の最良の実施の形態３に係る空気調和機用室外機のファン部分の構成を示している。
【００６２】
この実施の形態では、上記最良の実施の形態２の構成における仕切板１０のファンガイド口１１形成用の筒状部１０ｂの後縁部１０ｃの長さを後方に少し長くし、その上で上述した最良の実施の形態２のものと略同様の後端位置から半径方向外方に口径が拡大されるように（フレア形状となるように）曲成（傾斜）させたことを特徴とするものである。その他の部分の構成は、上記最良の実施の形態２のものと全く同一であり、同様の作用を果たす。
【００６３】
すなわち、このような構成によっても、図７に示すように、上記羽根車の羽根６，６・・・の後縁部６ｂ，６ｂ・・・外周端からの吹き出し流れｆ2に対する上述したコアンダ効果が一層有効になり、筒状のファンガイド口１１形成用の筒状部１０ｂの内周面とシュラウド７の筒状の本体部７ｂ外周面との間の流路抵抗が大きくなって洩れ流れｆ3が抑制される。
【００６４】
そして、フローパタンとして空気の吹出流が外方に広がる形態となるファン効率が高い中風量域において、シュラウド７の後縁部７ｃの形状と仕切板１０のファンガイド口１１形成用の筒状部１０ｂの後縁部１０ｃの形状が適切なものとなり、同外方に向かう流れを効果的に誘起し（壁面に沿うスムーズな流れとし）、ファンガイド口１１形成用の筒状部１０ｂの内周面とシュラウド７の筒状の本体部７ｂ外周面との間の隙間が大きなクリアランスであっても有効に洩れ流れを低減できるようになる。
【００６５】
その結果、プロペラファンの送風性能をアップさせながら、ファンの騒音レベルをも可及的に低減することが可能となる。
【００６６】
（最良の実施の形態４）
次に図９は、本願発明のシュラウド付プロペラファンを送風ファンに採用して構成した本願発明の最良の実施の形態４に係る空気調和機用室外機のファン部分の構成を示している。
【００６７】
この実施の形態では、上記最良の実施の形態３の構成の場合と同様に、仕切板１０のファンガイド口１１形成用の筒状部１０ｂの後縁部１０ｃの長さを後方に長くし、半径方向外方に口径が拡大するようにしているが、上述した最良の実施の形態３のものとは異なり、その拡大されたエンド部を、さらに後方に所定の長さ延出して等径部（円筒部）に形成したことを特徴とするものである。
【００６８】
このような構成によると、上記最良の実施の形態３のものと同様のコアンダ効果に加えて、さらにディフューザー効果を得ることができるようになり、羽根車から吹き出される空気流における動圧の静圧回復が効率良く行えるようになる。
【００６９】
したがって、さらに送風性能が向上する。
【図面の簡単な説明】
【００７０】
【図１】本願発明のシュラウド付プロペラファンを採用して構成した本願発明の最良の実施の形態１に係る空気調和機用室外機の構造を示す正面図である。
【図２】同室外機の構造を示す縦断面図である。
【図３】同室外機のシュラウド付プロペラファン部分の構成を示す断面図である。
【図４】同シュラウド付プロペラファンのファンガイド口形成用筒状部およびシュラウド後縁部の変形構成例１（対比例１）の作用を示す断面図である。
【図５】同シュラウド付プロペラファンのファンガイド口形成用筒状部およびシュラウド後縁部の変形構成例２（対比例２）の作用を示す断面図である。
【図６】本願発明のシュラウド付プロペラファンを採用して構成した最良の実施の形態２に係る空気調和機用室外機のシュラウド付プロペラファン部分の構造を示す断面図である。
【図７】本願発明のシュラウド付プロペラファンを採用して構成した本願発明の最良の実施の形態３に係る空気調和機用室外機のシュラウド付プロペラファン部分の構造を示す断面図である。
【図８】同シュラウド付プロペラファンの騒音低減効果を示す図（グラフ）である。
【図９】本願発明のシュラウド付プロペラファンを採用して構成した最良の実施の形態４に係る空気調和機用室外機のシュラウド付プロペラファン部分の構造を示す断面図である。
【図１０】本願発明の上記最良の実施の形態１のシュラウド付プロペラファンの騒音低減効果と対比した従来のシュラウド付プロペラファンの構成を示す断面図である。
【符号の説明】
【００７１】
１は室外機、１ａは本体ケーシング、２は熱交換器、５はハブ、６は羽根、７はシュラウド、７ａは前縁部、７ｂは筒状の本体部、７ｃは後縁部、９はファンモーター、１０は仕切板、１０ａは仕切面（開口縁部）、１０ｂは筒状部、１０ｃは後縁部、１１はファンガイド口である。
【図１】
2008057480.tif 000003
【図２】
2008057480.tif 000004
【図３】
2008057480.tif 000005
【図４】
2008057480.tif 000006
【図５】
2008057480.tif 000007
【図６】
2008057480.tif 000008
【図７】
2008057480.tif 000009
【図８】
2008057480.tif 000010
【図９】
2008057480.tif 000011
【図１０】
2008057480.tif 000012